(57)【要約】【課題】ユーザの利便性を向上させることが可能なユーザインターフェースを実現する録画装置を提供する。【解決手段】録画した番組に関する情報を管理する録画管理リストを格納する録画管理リスト格納部９３ａと、録画した番組についての情報を一覧表示する際、録画管理リストに含まれる同一番組についての情報を統合し、統合した同一番組についての情報を外部の表示装置１０上に表示させる表示制御部７とを備える。【選択図】図１
2007300347.tif 000002
【特許請求の範囲】
【請求項１】
録画した番組に関する情報を管理する録画管理リストを格納する録画管理リスト格納部と、
前記録画した番組についての情報を一覧表示する際、前記録画管理リストに含まれる同一番組についての情報を統合し、前記統合した同一番組についての情報を表示装置上に表示させる表示制御部
とを備えることを特徴とする録画装置。
【請求項２】
前記表示制御部は、録画対象の番組についての録画個数を指定するようユーザに促すことを特徴とし、
受信処理を実行する複数のチューナと、
前記複数のチューナのうち前記録画個数に対応する個数のチューナを用いて、前記録画対象の番組を録画処理する録画処理部
とを更に備えることを特徴とする請求項１に記載の録画装置。
【請求項３】
前記表示制御部は、録画予約画面を前記表示装置上に表示させる際、録画予約対象の番組についての録画個数を指定するようユーザに促すことを特徴とし、
受信処理を実行する複数のチューナと、
前記複数のチューナのうち前記録画個数に対応する個数のチューナを用いて、前記録画予約された番組を録画処理する録画処理部
とを更に備えることを特徴とする請求項１に記載の録画装置。
【請求項４】
前記録画処理部は、前記複数のチューナのそれぞれの出力結果を比較することで差分を抽出し、前記差分と前記複数のチューナのいずれかの出力結果とを録画処理することを特徴とする請求項２又は３に記載の録画装置。
【請求項５】
前記録画管理リストを参照し、前記録画した番組に関する情報を比較処理することで、前記録画した番組の同一性を判定する同一性判定部を更に備えることを特徴とする請求項１〜４のいずれか１項に記載の録画装置。
【請求項６】
前記表示制御部は、前記録画した番組に対して消去、移動、バックアップ、又はムーブのいずれかの管理処理を実行する際、同一番組に対して前記管理処理を実行する個数を指定するようユーザに促すことを特徴とする請求項１〜５のいずれか１項に記載の録画装置。
【請求項７】
前記表示制御部は、前記録画した番組についての情報を一覧表示する際、前記録画管理リストに含まれる同一番組についての情報を統合して表示するか否かを、ユーザの切り替え操作に応じて切り替えることを特徴とする請求項１〜６のいずれか１項に記載の録画装置。
【発明の詳細な説明】
【技術分野】
【０００１】
本発明は放送された番組を録画する録画装置に関し、特に同一番組を複数同時に録画可能な録画装置に関する。
【背景技術】
【０００２】
アナログ放送においては、私的利用の範囲に限って自由に番組を録画可能であるが、地上デジタル放送等においては、高画質・高音質で番組が放送可能であるため、コピーワンスと呼ばれる著作権保護がなされている。「コピーワンス」とは、番組（コンテンツ）の著作権を遵守するために、録画した番組のコピーを不可とするものである。したがって、コピーワンスの施された番組をＨＤＤ(Hard Disk Drive)に録画した場合、録画した番組をＤＶＤ(Digital Versatile Disk)等の他の記録媒体に移動すると、ＨＤＤに録画した番組を視聴できなくなってしまう。
【０００３】
これに対して、チューナが複数存在する場合には、チューナの数だけ同一番組の同時録画が認められる。このため、同一番組を複数同時に録画することにより、１つをＤＶＤ等に移動しても、残りをＨＤＤでも保存することが可能となる。
【０００４】
特許文献１では、ＶＴＲ（Video Tape Recorder)等の磁気記録再生装置において、録画予約された複数の番組の重複期間を録画するため、複数のチューナを利用して複数番組の同時録画を可能とする手法を提案している。
【特許文献１】特開平５−５４４６４号公報
【発明の開示】
【発明が解決しようとする課題】
【０００５】
しかしながら、上述した背景技術では、異なる２つの番組を同時録画することを目的としているため、同一番組を複数同時に録画しようとした場合に特別の工夫がない。よって、ユーザは複数回同様な予約設定をすることでしか同一番組の複数録画ができない。
【０００６】
また、上述した背景技術では、録画した複数の同一番組を一覧表示した際、それぞれ個別の番組として表示され、その後の表示や分類等も煩雑であるという問題がある。
【０００７】
上記問題点を鑑み、本発明は、ユーザの利便性を向上させることが可能なユーザインターフェースを実現する録画装置を提供することを目的とする。
【課題を解決するための手段】
【０００８】
上記目的を達成するため、本発明の第１の特徴は、録画した番組に関する情報を管理する録画管理リストを格納する録画管理リスト格納部と、録画した番組について情報を一覧表示する際、録画管理リストに含まれる同一番組についての情報を統合し、統合した同一番組についての情報を外部の表示装置上に表示させる表示制御部とを備える録画装置であることを要旨とする。ここで「統合」とは、複数の同一番組についての重複する情報を１つにまとめることを意味する。
【０００９】
この特徴によれば、同一番組を複数録画した場合に、同一番組に関する情報を統合して表示可能であるため、複数の同一番組を録画後における管理を容易にすることができる。
【００１０】
本発明の第２の特徴は、第１の特徴に係る録画装置において、表示制御部は、録画対象の番組についての録画個数を指定するようユーザに促すことを特徴とし、受信処理を実行する複数のチューナと、複数のチューナのうち録画個数に対応する個数のチューナを用いて、録画対象の番組を録画処理する録画処理部とを更に備えることを要旨とする。
【００１１】
この特徴によれば、録画対象の番組についての録画個数を指定するようユーザに促し、複数のチューナのうち録画個数に対応する個数のチューナを用いて録画対象の番組を録画処理するので、ユーザは、複数回同様な録画操作をすることなく、一回の録画操作で複数の同一番組を録画可能となる。
【００１２】
本発明の第３の特徴は、第１の特徴に係る録画装置において、表示制御部は、録画予約画面を表示装置上に表示させる際、録画予約対象の番組についての録画個数を指定するようユーザに促すことを特徴とし、受信処理を実行する複数のチューナと、複数のチューナのうち録画個数に対応する個数のチューナを用いて、録画予約された番組を録画処理する録画処理部とを更に備えることを要旨とする。
【００１３】
この特徴によれば、録画予約対象の番組についての録画個数を指定するようユーザに促し、複数のチューナのうち録画個数に対応する個数のチューナを用いて録画予約された番組を録画処理するので、ユーザは、複数回同様な録画予約操作をすることなく、一回の録画予約操作で複数の同一番組を録画可能となる。
【００１４】
本発明の第４の特徴は、第１又は第２の特徴に係る録画装置において、録画処理部は、複数のチューナのそれぞれの出力結果を比較することで差分を抽出し、差分と複数のチューナのいずれかの出力結果とを録画処理することを要旨とする。
【００１５】
この特徴によれば、複数のチューナのそれぞれの出力結果を比較することで差分を抽出し、差分と複数のチューナのいずれかの出力結果とを録画処理することで、同一番組を複数録画する場合に記録媒体の記録容量を削減することができる。
【００１６】
本発明の第５の特徴は、第１〜第４のいずれかの特徴に係る録画装置において、録画管理リストを参照し、録画した番組に関する情報を比較処理することで、録画した番組の同一性を判定する同一性判定部を更に備えることを要旨とする。
【００１７】
この特徴によれば、録画管理リストを参照し、録画した番組の同一性を判定するので、録画管理リストに録画個数を示す情報が格納されていない場合であっても、同一番組に関する情報を統合して表示可能となる。
【００１８】
本発明の第６の特徴は、第１〜第５のいずれかの特徴に係る録画装置において、表示制御部は、録画した番組に対して消去、移動、バックアップ、又はムーブのいずれかの管理処理を実行する際、同一番組に対して管理処理を実行する個数を指定するようユーザに促すことを要旨とする。
【００１９】
この特徴によれば、録画した番組に対して消去、移動、バックアップ、又はムーブのいずれかの管理処理を実行する際、同一番組に対して管理処理を実行する個数を指定するようユーザに促すので、ユーザは、複数の同一番組を録画後における管理を容易に行うことができる。
【００２０】
本発明の第７の特徴は、第１〜第６のいずれかの特徴に係る録画装置において、表示制御部は、録画した番組についての情報を一覧表示する際、録画管理リストに含まれる同一番組についての情報を統合して表示するか否かを、ユーザの切り替え操作に応じて切り替えることを要旨とする。
【００２１】
この特徴によれば、録画した番組についての情報を一覧表示する際、録画管理リストに含まれる同一番組についての情報を統合して表示するか否かを、ユーザの切り替え操作に応じて切り替えるので、ユーザは、複数の同一番組を一括して管理するか、複数の同一番組を個別に管理するかを任意に選択可能となる。
【発明の効果】
【００２２】
本発明によれば、ユーザの利便性を向上させることが可能なユーザインターフェースを実現する録画装置を提供できる。
【発明を実施するための最良の形態】
【００２３】
次に、図面を参照して、本発明の第１〜第３実施形態を説明する。以下の第１〜第３実施形態における図面の記載において、同一又は類似の部分には同一又は類似の符号を付している。また、以下の第１〜第３実施形態においては、地上デジタル放送を受信して録画する録画装置について説明する。
【００２４】
（第１実施形態）
本発明の第１実施形態に係る録画装置１は、図１（ａ）に示すように、放送局側から送信される放送波を受信するアンテナ２０と、映像を表示する表示装置１０に接続して使用されるとともに、ユーザがリモートコントローラ等の入力装置１２を用いて行う入力操作に応じて動作する。録画装置１は、制御部８ａと、制御部８ａに接続された入力処理部１３と、アンテナ２０に接続された第１及び第２チューナ２ａ，２ｂと、第１及び第２チューナ２ａ，２ｂの出力にそれぞれ接続された第１及び第２デマルチプレクサ（以下、「ＤＥＭＵＸ」という）３ａ，３ｂと、第１及び第２ＤＥＭＵＸ３ａ，３ｂの出力に接続された録画再生処理部１１と、録画再生処理部１１に接続された記録媒体９ａ及びデコーダ部６と、デコーダ部６の出力に接続された表示制御部７とを備える。
【００２５】
第１及び第２チューナ２ａ，２ｂは、アンテナ２０からの受信信号に対して所望のチャンネルを選局し、復調処理を行う。第１及び第２ＤＥＭＵＸ３ａ，３ｂは、復調信号から所望のサービス（チャンネル）を抽出する。録画再生処理部１１は、録画処理及び再生処理を実行する。記録媒体９ａには録画対象の番組が格納される。デコーダ部６は記録媒体９ａから読み出された番組をデコードする。表示制御部７は表示装置１０の表示動作を制御する。入力処理部１３は、入力装置１２から送信された入力信号を処理する。制御部８ａは、第１及び第２チューナ２ａ，２ｂと、第１及び第２ＤＥＭＵＸ３ａ，３ｂと、録画再生処理部１１と、デコーダ部６と、表示制御部７を制御する。
【００２６】
なお、第１チューナ２ａ、第２チューナ２ｂ、第１ＤＥＭＵＸ３ａ、第２ＤＥＭＵＸ３ｂ、録画再生処理部１１、デコーダ部６、及び表示制御部７のそれぞれは、例えば専用の半導体集積回路（ＩＣ）として構成される。制御部８ａ及び記録媒体９ａとしては、例えばＣＰＵ（Central Processing Unit）及びＨＤＤがそれぞれ使用可能である。
【００２７】
第１及び第２チューナ２ａ，２ｂは所謂デジタルチューナとして構成され、ユーザが指定したチャンネル又は予約設定されたチャンネルを選局して復調する。２つの番組を同時録画する場合は、第１及び第２チューナ２ａ，２ｂの双方が動作するが、１つの番組のみを録画する場合は、第１及び第２チューナ２ａ，２ｂのいずれか一方が動作する。
【００２８】
ここで、日本のデジタル放送においてはＭＰＥＧ２−ＴＳ(Moving Picture Expert Group, Transport Stream)形式で伝送されている。ＭＰＥＧ２−ＴＳ形式では、映像や音声がそれぞれ異なるパケット識別子（ＰＩＤ）の付された固定長のＴＳパケットの連続で伝送される。また、ＳＩ(Service Information)と呼ばれる番組情報も異なるＰＩＤの付与されたＴＳパケットの連続で伝送される。
【００２９】
第１及び第２チューナ２ａ，２ｂで復調されたチャンネルの各ＴＳパケットは、第１及び第２ＤＥＭＵＸ３ａ，３ｂに供給される。第１及び第２ＤＥＭＵＸ３ａ，３ｂは、ＭＰＥＧ２−ＴＳに含まれる複数のサービスの中なら、必要なサービスのみを抽出する。具体的には、第１及び第２ＤＥＭＵＸ３ａ，３ｂは、ＭＰＥＧ２−ＴＳを構成する各ＴＳパケットから所望のサービスに属するＴＳパケットをＰＩＤに応じて選択する。サービスとそのサービスに属するＴＳパケットのＰＩＤの対応関係についての情報は、ＰＳＩ(Program Specific Information)から得ることができる。
【００３０】
更に、第１及び第２ＤＥＭＵＸ３ａ，３ｂは、ＳＩを制御部８ａに渡す機能も有している。ＳＩには番組名やその内容が記載されている。制御部８ａは、番組名やその内容と、録画日時とに基づいて録画管理リストを生成する。「録画管理リスト」とは、録画した番組（以下、「録画番組」と略記する）に関する情報を管理するためのリスト（テーブル）を意味する。制御部８ａが生成した録画管理リストは、記録媒体９ａに蓄積される。録画管理リストの詳細については後述する。
【００３１】
制御部８ａは、ＳＩから得られた情報から番組の放送予定を知ることができ、ＥＰＧ(Electric Program Guide)と呼ばれる番組表を生成する。制御部８ａが生成した番組表は記録媒体９ａに格納される。
【００３２】
録画再生処理部１１は、第１及び第２ＤＥＭＵＸ３ａ，３ｂによって選択された番組のＴＳパケットを記録媒体９ａに順次格納する録画処理部４ａと、早送り等の特殊再生を補助し、再生を行う際のＴＳパケットの間隔を維持する再生処理部５とを備える。
【００３３】
記録媒体９ａは、本来はファイルシステム等で効率的に録画領域が管理されているが、説明の簡略化のため、記録領域が１００個のブロックに分割され、各ブロックに１つの番組が保存されることとする。各ブロックには、ブロックを識別するブロック識別子（ブロックＩＤ）が割り当てられている。
【００３４】
制御部８ａは、空きブロックを記録媒体９ａから検索して、空きブロックのブロックＩＤを録画処理部４ａに通知する。この結果、録画処理部４ａは、空きブロックにＴＳパケットを順次格納する。
【００３５】
制御部８ａは、番組の録画されたブロックのブロックＩＤを録画管理リストに追記する。更に、制御部８ａは、予め設定された終了時刻、ＳＩから得られた番組終了時刻、又はユーザからの録画停止操作のいずれかを検知すると、録画処理部４ａに録画停止の指示を出し、録画を終了させる。
【００３６】
一方、再生時には、制御部８ａは、ユーザが録画管理リストから選択した、あるいは自動的に選択された再生対象の番組を特定して、録画管理リストから再生対象の番組の保存されたブロックを知り、再生処理部５に再生指示を出す。
【００３７】
再生処理部５は、指示されたブロックからＴＳパケットを読み出し、読み出したＴＳパケットをデコーダ部６に順次送出する。
【００３８】
デコーダ部６は、ＴＳパケットをデコーダ部６の内部の映像デコーダ又は音声デコーダ（図示省略）に分配する。映像デコーダで復号された映像は表示制御部７に供給される。音声デコーダで復号された音声は、スピーカ（図示省略）等の音声出力装置によって出力される。
【００３９】
表示制御部７は、復号された映像を拡大・縮小したり、ＯＳＤ(On Screen Display)と呼ばれる機能で文字や図形を描画したりする機能を有する。また、表示制御部７は、再生中の番組についての情報を表示したり、ＧＵＩ(Graphical User Interface)を提供してユーザに分かりやすく番組の選択等を行わせたりするように構成されている。
【００４０】
次に、制御部８ａ及び記録媒体９ａの機能構成例を図１（ｂ）に示す。制御部８ａは、録画制御部８１、再生制御部８２、録画管理リスト生成部８３、録画予約制御部８４、録画予約リスト生成部８５、録画リスト生成部８６、及び録画番組管理部８７を備える。
【００４１】
録画制御部８１及び再生制御部８２は、録画処理及び再生処理をそれぞれ制御する。また、録画制御部８１は、現在受信中の番組の録画を指示された際、その番組に対する録画個数を指定するようユーザに促す。更に、録画制御部８１は、第１及び第２チューナ２ａ，２ｂのうちユーザが指定した録画個数に対応する個数のチューナを用いて、録画対象の番組を録画処理するよう録画処理部４ａを制御する。
【００４２】
録画管理リスト生成部８３は、上述した録画管理リストを生成する。詳細には録画管理リストは、録画番組を識別する録画番組識別子（以下、「ＭＩＤ」と呼ぶ）と、録画番組の番組名と、録画番組のチャンネルと、録画番組の録画開始時刻と、録画番組の録画時間と、録画番組のレートと、録画番組の記録媒体９ａでのブロックＩＤと、録画番組を保存するフォルダとを対応づけて管理している。「録画レート」は、録画時の画質モードを示すものであり、詳細については後述する。「フォルダ」は、録画番組を分類する論理的な保管場所である。
【００４３】
更に、同一番組を複数録画する場合、録画管理リスト生成部８３は、複数の同一番組に対して同一のＭＩＤを付与し、そのＭＩＤに対して複数のブロックＩＤを対応づけることで、複数の同一番組を同一のＭＩＤによって管理可能としている。あるいは、同一番組の録画個数を明示するため、ＭＩＤに録画個数を更に対応づける構成としても良い。
【００４４】
このように、同一の番組を複数録画した場合、ユーザが録画番組を容易に管理可能な構成としている。
【００４５】
録画予約制御部８４は録画予約処理を制御する。具体的には、表示制御部７に対して録画予約画面を表示装置１０上に表示させるよう制御する。その際、表示制御部７は、ユーザに対し、同一番組に対する録画個数を指定するように促す。
【００４６】
一例として、録画予約画面では、録画時の画質モードを示す録画レートと、定期的に録画を行うことを示す繰り返し録画と、同一番組を何個録画するかを示す録画個数と、録画された番組を分類する論理的な保管場所であるフォルダを選択可能となっている。「繰り返し録画」は毎週又は毎日等、１回でなく複数回録画する予約形式であるが、本実施形態では１回のみを扱う。フォルダはユーザが生成及び削除可能であり、「通常」というフォルダと「保存」というフォルダがあるものとし、特に指定しなければ通常フォルダが表示される設定になっているものとする。
【００４７】
録画予約リスト生成部８５は、録画予約画面を表示装置１０上に表示中に入力装置１２に入力された内容に基づいて、録画予約された番組（以下、「録画予約番組」と略記する）を識別する録画予約識別子（以下、「ＲＩＤ」と呼ぶ）と、録画予約番組の番組名と、録画予約番組の録画開始時刻と、録画予約番組の録画終了時刻と、録画予約番組のチャンネルと、録画予約番組のレートと、同一番組に対する録画予約の個数である録画予約個数と、録画予約番組を保存するフォルダとを対応づけた録画予約リストを生成する。
【００４８】
録画リスト生成部８６は、録画番組の情報に対する一覧表示要求に応じて、録画管理リストから録画リストを生成する。表示制御部７は、録画リスト生成部８６が生成した録画リストを表示装置１０上に表示させる。ここで「録画リスト」とは、例えば、録画管理リストに含まれる項目のうち、表示に不要な項目を削除したものを意味する。
【００４９】
一例として、録画リストは、録画番組の番組名と、録画番組のチャンネルと、録画番組の録画開始時刻と、録画番組の録画時間と、録画番組のレートと、録画番組の個数とを対応づけたものである。なお、録画番組の個数の項目が録画管理リストに存在しない場合、録画リスト生成部８６は、１つのＭＩＤに対応づけられたブロックＩＤの個数をカウントすることで録画個数の情報を得ることができる。
【００５０】
このように、録画番組の情報を一覧表示する際に、同一番組の録画個数を表示することで、ユーザは容易に同一番組の録画個数を知ることができる。
【００５１】
録画番組管理部８７は、録画リスト表示中に、録画番組に対して消去、フォルダ移動、バックアップ、又はムーブのいずれかの管理処理がユーザから指示された場合、指示された管理処理を実行する。ここで「消去」とは、録画番組を記録媒体９ａから削除する、又は録画番組を記録媒体９ａに残したまま録画リスト中に表示されないようにする処理を意味する。「移動」とは、録画番組に関する情報を他のフォルダに移動する処理を意味する。「バックアップ」とは、録画番組が消失した場合に対応可能とするため、ユーザから見えない領域に番組のコピーを作成する処理を意味する。「ムーブ」とは、記録媒体９ａに録画された番組を他の記録媒体に移動する処理を意味する。
【００５２】
録画番組管理部８７は、録画リスト表示中に、録画番組に対して消去、移動、又はバックアップのいずれかの管理処理を実行する際、同一番組に対して管理処理を実行する個数を指定するようユーザに促す。この結果、ユーザは、複数番組を一括して移動あるいは消去することができる。
【００５３】
更に、記録媒体９ａは、番組表を格納する番組表格納部９１と、録画予約リストを格納する録画予約リスト格納部９２と、録画管理リストを格納する録画管理リスト格納部９３ａと、録画対象の番組を格納する番組格納部９４を備える。なお、録画予約リスト格納部９２に格納された録画予約リスト内の録画予約番組は、録画開始時刻の順に整列されているものとする。
【００５４】
＜録画予約処理＞
次に、録画予約処理の詳細について説明する。図２（ａ）は、録画予約処理の処理フロー例を示している。
【００５５】
図２（ａ）のステップＳ１０１において、録画予約制御部８４は、番組表の表示操作に応じて、番組表格納部９１に格納された番組表を取得し、取得した番組表を表示制御部７に供給する。表示制御部７は、表示装置上に番組表を表示させる。ユーザは入力装置１２を用いて、番組表から録画予約する番組を選択する。
【００５６】
ステップＳ１０２において、表示制御部７は、図２（ｂ）に示すように、ステップＳ１０１で選択された番組についての録画予約画面を表示装置１０上に表示する。
【００５７】
ステップＳ１０３において、ユーザは入力装置１２を利用して、録画予約画面に対する入力操作を行う。録画個数を変更する場合、図２（ｂ）の太枠で図示されたカーソルを移動させ、録画個数の欄に合わせて入力装置１２の選択キーを押す。ここでは、“２”を選択したものとする。なお、入力装置１２で直接個数を入力する形式に限らず、選択肢の中から選ばせる形式であっても良く、２つ同一番組を録画することを意味する“ダブル録画”等の機能名を選択させても良い。
【００５８】
また、ユーザが“３”と入力した場合、チューナが２つしか存在しないため、エラーを表示しても良いし、“２”と入力した場合であっても、他の重複した録画予約があればエラーを表示しても良い。更に、図２（ｂ）の例においては、個数が２以上の場合においても録画のレートやフォルダの指定が一括にしか行えないが、それぞれ独立して指定できるようにしても良い。その場合には録画予約リストや録画管理リストに項目の追加が必要である。
【００５９】
図２（ｂ）の例では、録画レートとして、ＴＳ録画が指定されている。ＴＳ録画は、デジタル放送で伝送されたＴＳをそのままの形態で録画する方式である。ＴＳ録画の他には、一旦デジタル放送をデコードして再エンコードする録画方式があり、レートに応じてＸＰ録画、ＳＰ録画、ＬＰ録画等と呼ばれることがある。本実施形態ではＴＳ録画のみを扱う。
【００６０】
ステップＳ１０４において、録画予約リスト生成部８５は、図２（ｃ）に示すように、ステップＳ１０３で入力された内容に基づいて録画予約リストを生成する。
【００６１】
＜録画処理＞
次に、図２（ｃ）に示す録画予約リストを用いて録画処理を行う場合の録画処理の詳細について説明する。図３は、録画処理の処理フロー例を示している。
【００６２】
図３のステップＳ２０１において、録画制御部８１は、一定時間毎に時刻情報を取得し、録画予約リストの先頭の録画予約番組の録画開始時刻の所定時間（例えば５分）前が来るのを待つ。
【００６３】
ステップＳ２０２において、録画制御部８１は、録画開始時刻の所定時間前になったことを検出すると、録画予約リストを参照してチャンネルと録画個数を確認し、第１及び第２チューナ２ａ，２ｂを制御する。ＲＩＤ“１”に対応づけられた録画個数は“２”であるので、録画制御部８１は、第１及び第２チューナ２ａ，２ｂの両方にチャンネル８に相当するＴＳを選局するように指示をする。
【００６４】
また、録画制御部８１は、第１及び第２ＤＥＭＵＸ３ａ，３ｂを制御し、所望のサービスを選択するように指示をする。更に、録画制御部８１は、録画処理部４ａに指示を出し、記録媒体９ａを録画準備状態にしておく。ＲＩＤ“１”に対応づけられたチャンネル８がどのサービスになるかは予め決められたルールがあるのでそれに従えば良い。録画制御部８１は、その後一定時間毎に時刻情報を取得して、録画開始時刻が来るのを待つ。
【００６５】
ステップＳ２０３において、録画制御部８１は、録画開始時刻を検出する。
【００６６】
ステップＳ２０４において、録画制御部８１は、記録媒体９ａの録画管理リスト格納部９３ａから録画管理リストを取得する。この時点では、録画管理リストは図４（ａ）のようになっているものとする。図４（ａ）に示す録画管理リストの例においては、固定的に２つのブロックへの参照を行う構造にしているが、リスト構造等を利用して複数のブロックへの参照を柔軟に行うこともできる。なお、ブロックＩＤ２の欄の “―” は該当するブロックがない、つまり録画個数が１つであることを示している。
【００６７】
ステップＳ２０５において、録画制御部８１は、録画に使用するブロックを選択する。ステップＳ２０４で取得した録画管理リストより、ブロックＩＤが１のブロックが使用中であることがわかるので、ブロックＩＤの２〜１００は空いていることがわかる。なお、空きブロック管理リストを設けて、この判断を高速化することも可能である。録画予約リストのＲＩＤが１の録画予約においては、録画個数が２であるので、空きブロックとしてブロックＩＤが２と３を利用するものとする。
【００６８】
ステップＳ２０６において、録画制御部８１は、ＴＳのレートを指定して、録画処理部４ａに録画を開始するよう指示する。録画制御部８１は、一定時間毎に時刻情報を取得して、録画終了時刻が来るのを待つ。
【００６９】
ステップＳ２０７において、録画制御部８１は、録画終了時刻を検知して録画を終了する。録画管理リスト生成部８３は、図４（ｂ）に示すように、録画予約リストのＲＩＤ“１”に対応づけられた情報を参照して、録画管理リストを更新する。
【００７０】
なお、録画予約に応じて録画処理を実行する場合は上記の手順で録画処理が実行されるが、ユーザが番組を視聴中にその番組を複数録画する場合については、図３のステップＳ２０１〜Ｓ２０３は不要である。また、ユーザが番組を視聴中にその番組を複数録画する場合、ユーザによる録画終了操作がなされたことが録画の終了条件となる。このため、図３のステップＳ２０７においては、ユーザからの録画終了操作があった場合に、録画管理リストが更新される。
【００７１】
＜録画番組管理処理＞
次に、番組移動を行う場合を例に、録画番組管理処理の詳細について説明する。図５は、録画番組管理処理の処理フロー例を示している。
【００７２】
図５のステップＳ３０１において、ユーザから「録画リスト」操作が指示されると、録画リスト生成部８６は、表示制御部７に対して図６（ａ）のような画面をＧＵＩで表示させる。図６（ａ）では“通常”フォルダの内容のみを表示したものであり、「表示フォルダ変更」操作を行うと、その移動したフォルダに属する録画番組のみが表示される。図６（ａ）に示すように、同一番組についての情報を統合していることで、ユーザは複数の同一番組を一括して管理できる。更に、ユーザが「個数展開」操作を行うと、表示制御部７は、録画リスト表示画面を図６（ｂ）のように切り替える。図６（ｂ）のように、展開して表示することで、ユーザは複数の同一番組を個別に管理できる。「個数縮退」操作を行うと、録画管理リスト表示画面は図６（ａ）に戻る。このように、縮退表示と展開表示とが切り替え可能なように構成されている。
【００７３】
ステップＳ３０２において、表示制御部７は、録画番組の管理処理を行う番組を選択するようユーザに促す。例えば、図６（ａ）において、音楽番組を選択しているカーソルをスポーツ特別番組に移動させ、そこで「番組移動」操作を行わせる。この際、フォルダの一覧から移動先フォルダを選択するが、一覧に“保存”というフォルダがあって、保存フォルダを移動先として選択したものとする。
【００７４】
ステップＳ３０３において、表示制御部７は、図７（ａ）に示すように、個数の選択ダイアログを表示装置１０上に表示させる。ここでは１又は２を選択できるものとし、１が選択されたものとする。なお、入力装置１２の上下キーにより個数を指定する場合に限らず、直接個数を入力したり、選択肢の中から選ばせたりする形式であっても良い。直接個数を指定するのではなく、一度に２つ同一番組を移動することを意味する「ダブル移動」等の機能名を選択させても良い。番組移動でなく、番組消去又はバックアップの場合にも同様のダイアログが表示され消去する個数を選ぶことができる。
【００７５】
ステップＳ３０４において、録画番組管理部８７は、ステップＳ３０２及びＳ３０３の結果に応じて、管理処理（ここでは番組移動）を実行する。
【００７６】
ステップＳ３０５において、表示制御部７は、録画リスト表示画面を図７（ｂ）に示すように更新する。
【００７７】
以上詳細に説明したように、本発明の第１実施形態によれば、同一番組を複数録画した場合、同一番組に関する情報を統合して表示可能であり、ユーザは容易に同一の番組を複数移動あるいは消去等することが可能となる。したがって、同一番組の複数同時録画を最大限活用可能なユーザインターフェースを提供できる。
【００７８】
（第２実施形態）
上述した第１実施形態においては、録画予約時及び録画時に、同一番組に対する録画個数を指定可能とする一例を説明した。本発明の第２実施形態においては、録画時及び録画予約時に同一番組に対する録画個数を指定できない場合について説明する。すなわち、第１実施形態とは異なり、録画管理リストに録画個数を示す情報が格納されていない場合について説明する。
【００７９】
第２実施形態に係る録画装置は、図８に示すように、制御部８ｂが同一性判定部８８を更に備えている点で図１（ａ）とは異なっている。同一性判定部８８は、図６（ａ）のような縮退表示を可能とするため、録画管理リスト格納部９３ｂに格納された録画管理リストを参照し、録画番組に関する情報を比較処理することで、録画番組の同一性を判定する。
【００８０】
次に、図９（ａ）に示すフローチャートを参照して、同一性判定処理の処理フロー例について説明する。ただし、図９（ｂ）に示す録画管理リストに対して同一性判定処理を実行する場合について説明する。
【００８１】
ステップＳ４０１において、同一性判定部８８は、録画管理リストからＭＩＤ毎に番組を抽出し、他のＭＩＤに対応づけられた録画番組情報と比較する。ここでは、番組名、録画開始時刻、チャンネルを同一性判定の基準として用いるものとする。
【００８２】
ステップＳ４０２において、同一性判定部８８は、ステップＳ４０１で選択した２つの録画番組情報が互いに一致するか否か判定する。一致しないと判定された場合、ステップＳ４０１に処理が戻る。一致すると判定された場合、ステップＳ４０３に移行する。
【００８３】
ステップＳ４０３において、同一性判定部８８は、同一番組を検出したと判定する。図９（ｂ）の例では、ＭＩＤが２と３の番組は同一番組であると判断する。この結果、表示制御部７は、図６（ａ）のような表示処理を実行する。
【００８４】
このように、本発明の第２実施形態によれば、ユーザが複数回の録画指示を行った場合や、再放送など別の放送時間に録画を行った場合にも同一番組とすることが可能になり、ユーザが録画番組を管理しやすくなる。
【００８５】
なお、番組名、録画開始時刻、チャンネルの同一性を判定基準に用いたが、番組の説明、又はサーバー型放送（ＡＲＩＢ ＳＴＤ−Ｂ３８を参照。）におけるコンテンツ参照識別子（ＣＲＩＤ）等の番組を一意に識別する識別子を判定条件に加えても良いし、録画開始時刻を判定条件から減じても良い。更に、録画管理リストに基づいて同一性判定を行う場合に限らず、番組格納部９４に格納されている番組の音声・映像情報の特徴から同一性判定を行っても良い。したがって、「同一性」とは、完全同一である場合に限らず、一部が同一である場合や特徴が類似している場合を含む。
【００８６】
更に、同一性の判断を事前に行っておいて、図９（ｂ）のような管理方式を維持しつつ、その判断結果のみを保存する構成でも良い。あるいは、判断結果を反映して第１実施形態のように管理方式を変えても良い。
【００８７】
（第３実施形態）
上述した第１及び第２実施形態においては、同一番組を２つ同時に録画する際、第１及び第２ＤＥＭＵＸ３ａ，３ｂの双方の出力を記録媒体９ａに格納する一例を説明した。第３実施例では、録画容量を削減するため、図１０に示すように、第１及び第２チューナ２ａ，２ｂのそれぞれの出力結果を比較することで差分を抽出し、第１及び第２チューナ２ａ，２ｂのいずれかの出力結果と、抽出された差分とを録画処理する構成について説明する。
【００８８】
第３実施形態においては、第１及び第２実施形態のように、記録媒体９内の番組録画領域のブロックを１００個の同じ大きさに分割するのではなく、８０個の大きなブロック(以下、「Ｌブロック」という)からなる第１番組格納部９４ａと、４０個の小さなブロック(以下、「Ｓブロック」という)からなる第２番組格納部９４ｂに、番組格納部９４を分割するものとする。Ｌブロック及びＳブロックは、ＬブロックＩＤ及びＳブロックＩＤでそれぞれ識別される。
【００８９】
録画再生処理部１１は、これら２本のＴＳを比較しながら、第１ＤＥＭＵＸ３ａの出力をＬブロックにそのまま格納し、差分をＳブロックに格納する。具体的には、録画再生処理部１１は、図１０に示すように、第１及び第２ＤＥＭＵＸ３ａ，３ｂの出力をＴＳパケット単位で比較して差分を抽出する比較部４１と、第１及び第２ＤＥＭＵＸ３ａ，３ｂの少なくとも一方の出力があったときにＴＳパケット単位でカウント処理を行い、差分の生じた際のカウント値を通知するカウンタ４２と、第１ＤＥＭＵＸ３ａの出力を第１番組格納部９４ａに格納するとともに、比較部４１が抽出した差分及びカウンタ４２が通知するカウント値を第２番組格納部９４ｂに格納する録画部４３を備える。
【００９０】
以下、第３実施形態に係る録画処理部４ｂの動作例について説明する。なお、第１ＤＥＭＵＸ３ａの出力をＡ系統と呼び、第２ＤＥＭＵＸ３ｂの出力をＢ系統と呼ぶ。
【００９１】
先ず、カウンタ４２のカウント値が０に設定される。
【００９２】
比較部４１は、第１ＤＥＭＵＸ３ａ又は第２ＤＥＭＵＸ３ｂの少なくとも一方から入力があれば、カウンタ４２を１つずつカウントアップする。
【００９３】
一例として、カウント値が１〜１００までは第１及び第２ＤＥＭＵＸ３ａ，３ｂ ともに完全に一致したものとする。この間、録画部４３は第１番組格納部９４ａのみに書き込みを行う。
【００９４】
カウント値が１０１の時点で、第１ＤＥＭＵＸ３ａからしか入力がない場合には、Ａ系統をそのまま第１番組格納部９４ａに格納すると同時に、第２番組格納部９４ｂに「“Ａ系統のみ存在”，１０１」と記録する。
【００９５】
カウント値が１０２の時点で、第２ＤＥＭＵＸ３ｂからしか入力がない場合には、第２番組格納部９４ｂに「“Ｂ系統のみ存在”，１０２」と記録するとともに、第２番組格納部９４ｂにＢ系統を格納する。
【００９６】
カウント値が１０３の時点で、第１及び第２ＤＥＭＵＸ３ａ，３ｂ の双方から入力があったが差分が生じている場合には、第２番組格納部９４ｂに「“Ａ，Ｂ系統に差がある”，１０３」と記録するとともに、Ａ系統及びＢ系統を、第１番組格納部９４ａ及び第２番組格納部９４ｂにそれぞれ格納する。
【００９７】
上記の動作を録画終了まで繰り返すことで、１つ分の録画容量に加えて、記憶容量の少ない差分情報を保持することができ、複数の同一番組をそのまま録画したのと等価な機能を果たすことができる。したがって、録画容量を大幅に削減できる。なお、第３実施形態ではＴＳパケットを単位として差分抽出を行ったが、１バイト単位で行っても良い。
【００９８】
また、この方法ではＡ系統をＬブロックにそのまま格納し、Ａ系統及びＢ系統の差分をＳブロックに保存するという手法を採用したが、第１及び第２チューナ２ａ，２ｂの受信感度や復調の成否によって、より精度が高い系統を動的に選択しながら、残りの差分を保存しても良い。
【００９９】
あるいは、同一番組の複数録画を行う場合に、第１及び第２チューナ２ａ，２ｂの動作を行うが、第１及び第２チューナ２ａ，２ｂのいずれかの出力結果のみを保存する構成としても良い。チューナが複数存在する場合には、チューナの数だけ同一番組の同時録画が認められるため、第１及び第２チューナ２ａ，２ｂのいずれかの出力結果を保存した後、それを一回だけコピーを許可することで、２つの同一番組を得ることができる。したがって、コピーワンスに準拠するために複数チューナの動作を行いながらも、単一の録画系統だけを動作させることで、単純な録画処理が可能となり、低廉な録画装置が実現できる。
【０１００】
この場合、単一のチューナが動作するだけではなく、余ったチューナがライブ放送の受信機能を行ったり、別の番組の録画動作を行ったりしても良い。
【０１０１】
更に、単一のチューナだけを動作させることにより、消費電力の削減を行うとともに、利用されていないチューナを放送の視聴等の別の用途に利用しても良い。単一のチューナだけを動作させることで、消費電力を削減できる。  
（その他の実施形態）
上記のように、本発明は第１〜第３実施形態によって記載したが、この開示の一部をなす論述及び図面はこの発明を限定するものであると理解すべきではない。この開示から当業者には様々な代替実施形態、実施例及び運用技術が明らかとなる。
【０１０２】
上述した第１〜第３実施形態においては、チューナ及びＤＥＭＵＸの個数がそれぞれ２つである場合を説明したが、チューナを３つ以上設け、チューナと同数のＤＥＭＵＸを設ける構成としてもかまわない。
【０１０３】
また、地上デジタル放送を録画する場合を例に説明したが、地上アナログ放送、ＢＳ(Broadcast Satellite)デジタル放送、又はインターネット網等の通信網を利用した放送であっても良く、それらの放送を受信する機器からのＦｉｒｅＷｉｒｅ（ＩＥＥＥ１３９４）による通信であってもかまわない。このような通信の場合においては、チューナ部は復調を行わずに通信処理を実行することとなる。
【０１０４】
既に述べた第１〜第３実施形態においては、録画予約画面及び録画リスト（一覧表示画面）等を録画装置１の外部の表示装置１０上に表示させるとして説明したが、録画装置１に予め設けられているディスプレイ上に録画予約画面及び録画リスト等を表示させても良い。
【０１０５】
また、記録媒体９ａ，９ｂとして、録画装置１に着脱可能なＤＶＤ等のリムーバブルメディアを使用しても良い。
【０１０６】
更に、第１〜第３実施形態で説明した各処理手順をコンピュータプログラムとして実装し、パーソナルコンピュータ（ＰＣ）に実行させることが可能である。
【０１０７】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１０８】
【図１】図１（ａ）は本発明の第１実施形態に係る録画装置の構成例を示すブロック図であり、図１（ｂ）は本発明の第１実施形態に係る制御部及び記録媒体の機能構成例を示すブロック図である。
【図２】図２（ａ）は本発明の第１実施形態に係る録画装置の録画予約処理の概略処理フローを示すフローチャートであり、図２（ｂ）は録画予約処理時に表示される録画予約画面例を示す模式図であり、図２（ｃ）は録画予約処理に用いられる録画管理リストの一例を示す模式図である。
【図３】本発明の第１実施形態に係る録画装置の録画処理の概略処理フローを示すフローチャートである。
【図４】図４（ａ）は図３の録画処理が実行される前の録画管理リストの一例を示す模式図であり、図４（ｂ）は図３の録画処理が実行された後の録画管理リストの一例を示す模式図である。
【図５】本発明の第１実施形態に係る録画装置の録画番組管理処理の概略処理フローを示すフローチャートである。
【図６】図６（ａ）は一覧表示（録画リスト表示）時の縮退表示例を示す模式図であり、図６（ｂ）は一覧表示（録画リスト表示）時の展開表示例を示す模式図である。
【図７】図７（ａ）は個数選択ダイアログ例を示す模式図であり、図７（ｂ）は録画番組管理処理後の表示例を示す模式図である。
【図８】本発明の第２実施形態に係る制御部及び記録媒体の機能構成例を示すブロック図である。
【図９】図９（ａ）は本発明の第２実施形態に係る録画装置の同一性判定処理の概略処理フローを示すフローチャートであり、図９（ｂ）は同一性判定処理に用いられる録画管理リストの一例を示す模式図である。
【図１０】本発明の第３実施形態に係る録画処理部の機能構成例を示すブロック図である。
【符号の説明】
【０１０９】
１…録画装置
２ａ…第１チューナ
２ｂ…第２チューナ
３ａ…第１ＤＥＭＵＸ
３ｂ…第２ＤＥＭＵＸ
４ａ，４ｂ…録画処理部
５…再生処理部
６…デコーダ部
７…表示制御部
８ａ，８ｂ…制御部
９ａ，９ｂ…記録媒体
１０…表示装置
１１…録画再生処理部
１２…入力装置
１３…入力処理部
２０…アンテナ
４１…比較部
４２…カウンタ
４３…録画部
８１…録画制御部
８２…再生制御部
８３…録画管理リスト生成部
８４…録画予約制御部
８５…録画予約リスト生成部
８６…録画リスト生成部
８７…録画番組管理部
８８…同一性判定部
９１…番組表格納部
９２…録画予約リスト格納部
９３ａ，９３ｂ…録画管理リスト格納部
９４…番組格納部
９４ａ…第１番組格納部
９４ｂ…第２番組格納部
【図１】
2007300347.tif 000003
【図２】
2007300347.tif 000004
【図３】
2007300347.tif 000005
【図４】
2007300347.tif 000006
【図５】
2007300347.tif 000007
【図６】
2007300347.tif 000008
【図７】
2007300347.tif 000009
【図８】
2007300347.tif 000010
【図９】
2007300347.tif 000011
【図１０】
2007300347.tif 000012